(57)【特許請求の範囲】
【請求項１】
電磁式リレーにより信号出力を行う警備装置において、
第１、第２の二つの接点を有する２接点型の電磁式の第１のリレーと、
一つの接点を有する第２のリレーと、
制御部と
を備え、
前記第１のリレーの第１の接点の両端は信号出力先の外部装置の第１の入力端子に接続されるようになされ、
前記第１のリレーの第２の接点の両端は前記制御部に接続され、
前記第２のリレーの接点の両端は前記信号出力先の外部装置の第２の入力端子に接続されるようになされ、
前記第１のリレーの第１、第２の二つの接点は、前記制御部から所定の信号が出力された場合にその状態を共に反転させるようになされており、
前記制御部は、前記所定の信号を出力しない時に前記第１のリレーの第２の接点の状態が反転した場合には外部磁気による誤動作と判断して、前記第２のリレーの接点の状態を反転させる
ことを特徴とする警備装置。
【発明の詳細な説明】
【０００１】
【産業上の利用分野】
本発明は、センサ、操作装置等の警備装置に係り、特に電磁式リレーにより信号出力を行う警備装置に関する。
【０００２】
【従来の技術】
警備装置としては、侵入者を検知するセンサ、警戒エリア毎に警戒状態／解除状態を設定するための操作装置、あるいはセンサや操作装置を管理するコントローラ等種々の装置が知られている。このような警備装置から信号をどのようにして出力するかという信号出力の形態は様々であるが、信号出力の形態の一つとしてリレーを用いて信号を出力する形態がある。その例を図２に示す。
【０００３】
図２は操作装置の構成例であり、図中、１はカード読取部、２は制御部、３はリレー、４は接点を示す。いま、ある警戒エリアに対して警戒状態が設定されているものとし、当該警戒エリアの警戒状態を解除する場合には、ＩＤコードが書き込まれたカードをカード読取部１に挿入して引き出す（以下においてはこのような一連の操作を行うことをカードを操作すると称することにする）。このときカード読取部１はカードに書き込まれているＩＤコードを読み取り、制御部２に転送する。制御部２は正規のＩＤコードが登録されたテーブル（以下、ＩＤ登録テーブルと称す）を備えており、カード読取部１から転送されたＩＤコードがＩＤ登録テーブルに登録されているか否かを識別し、登録されている場合には正規なカードが操作されたと判断し、警戒状態を解除して解除状態を設定し、所定の信号を出力する。この出力によってリレー３が動作して接点４の状態が反転する。例えば警戒状態が設定されている場合にはリレー３の接点４はオープンになっているとすると、解除状態が設定された場合にはリレー３の接点４はクローズすることになる。つまり、リレー３の接点４の両端間の抵抗はオープンとクローズの二つの状態をとることになる。そして、コントローラ（図示せず）はリレー３の接点４の両端間の抵抗値を監視しており、リレー３の接点４の両端間の抵抗がオープンからクローズに変化した場合には、警戒状態が解除されて解除状態が設定されたことを認識する。
【０００４】
当該警戒エリアに対して解除状態が設定されている場合にカード読取部１において正規のＩＤコードが書き込まれたカードが操作された場合には、制御部２は所定の信号を出力する。この出力によってトランジスタＴｒは導通し、リレー３が動作して接点４の状態が反転するので、リレー３の接点４の両端間の抵抗はクローズからオープンに変化するので、コントローラは警戒状態が設定されたことを認識することになる。
【０００５】
【発明が解決しようとする課題】
しかしながら、当該操作装置のリレー３は電磁式のものであるため、リレー３の接点４が外部の磁気により反転してしまうことがあるという問題があった。
【０００６】
このような問題を解決するために、リレーに磁気シールドを施すことが考えられるが、磁気シールドにも限界があり、外部磁気の強度が磁気シールドの限界を超えた場合にはリレーの接点は反転してしまう。
【０００７】
また、ホール素子や磁気抵抗素子等の磁気検知素子を用いて、所定の強度以上の外部磁気を検知した場合には異常を示す信号をコントローラに出力するようにすることも考えられるが、このようにする場合にはリレーの感度と磁気検知素子の感度を合わせ、更にはリレーの温度特性と磁気検知素子の温度特性を合わせることが必要となり、回路構成や、その調整が面倒になる。
【０００８】
なお、以上は操作装置を例にあげて説明したが、上述した問題は操作装置に限るものではなく、リレー出力を行う警備装置一般において同様に生じるものである。
【０００９】
そこで、本発明は、リレー出力を行う警備装置において、外部磁気によりリレーの接点が反転した場合には誤動作であるとして、その旨の信号を出力することができる警備装置を提供することを目的とするものである。
【００１０】
【課題を解決するための手段】
上記の目的を達成するために、本発明の警備装置は、電磁式リレーにより信号出力を行う警備装置において、第１、第２の二つの接点を有する２接点型の電磁式の第１のリレーと、一つの接点を有する第２のリレーと、制御部とを備え、前記第１のリレーの第１の接点の両端は信号出力先の外部装置の第１の入力端子に接続されるようになされ、前記第１のリレーの第２の接点の両端は前記制御部に接続され、前記第２のリレーの接点の両端は前記信号出力先の外部装置の第２の入力端子に接続されるようになされ、前記第１のリレーの第１、第２の二つの接点は、前記制御部から所定の信号が出力された場合にその状態を共に反転させるようになされており、前記制御部は、前記所定の信号を出力しない時に前記第１のリレーの第２の接点の状態が反転した場合には外部磁気による誤動作と判断して、前記第２のリレーの接点の状態を反転させることを特徴とする。
【００１１】
【発明の実施の形態】
以下、図面を参照しつつ実施の形態について説明する。
図１は本発明を操作装置に適用した場合の一実施形態を示す図であり、図中、５はリレー、６、７は接点、８はリレー、９は接点を示す。なお、図２に示すものと同等なものについては同一の符号を付して重複する説明を省略する。
【００１２】
リレー５は二つの接点６、７を有する２接点型の電磁式のリレーである。一方の接点５の両端はコントローラ（図示せず）に接続され、もう一方の接点６の両端は制御部２に接続される。また、制御部２にはもう一つのリレー８も接続され、その接点９の両端はコントローラに接続される。この接点９の両端が接続されるコントローラの入力端子は、リレー５の接点６の両端が接続される入力端子とは異なることは当然である。
【００１３】
さて、いま、ある警戒エリアに対して警戒状態が設定されているものとし、当該警戒エリアの警戒状態を解除する場合には、ＩＤコードが書き込まれたカードをカード読取部１で操作する。このときカード読取部１はカードに書き込まれているＩＤコードを読み取り、制御部２に転送する。制御部２はＩＤ登録テーブルを参照して、カード読取部１から転送されたＩＤコードがＩＤ登録テーブルに登録されているか否かを識別し、登録されている場合には正規なカードが操作されたと判断し、警戒状態を解除して解除状態を設定し、リレー５に対して所定の信号を出力する。この出力によってリレー５が動作して接点６、７の状態が共に反転する。例えば警戒状態が設定されている場合にはリレー５の接点６、７が共にオープンになっているとすると、解除状態が設定された場合にはリレー５の接点６、７は共にクローズすることになる。つまり、リレー５の接点６、７の両端間の抵抗はオープンとクローズの二つの状態をとることになる。
【００１４】
このように、カード操作が行われた場合には接点７の状態は反転するのであるが、この接点７の状態の反転はカード読取部１において正規なカードの操作が行われたことに基づくものであるので、この場合には制御部２は外部磁気による誤動作とは判断しない。
【００１５】
そして、コントローラはリレー５の接点６の両端間の抵抗値を監視しており、接点６の両端間の抵抗がオープンからクローズに変化した場合には、警戒状態が解除されて解除状態が設定されたことを認識する。
【００１６】
当該警戒エリアに対して解除状態が設定されている場合にカード読取部１において正規のＩＤコードが書き込まれたカードが操作された場合には、制御部２は所定の信号を出力する。この出力によってリレー５が動作して接点６、７の状態が共に反転するので、リレー５の接点６の両端間の抵抗はクローズからオープンに変化し、コントローラは警戒状態が設定されたことを認識することになる。この場合にも、接点６の状態の反転は正規なカードの操作に基づくものであるので、制御部２は外部磁気による誤動作とは判断しない。
【００１７】
さて、外部磁気が所定の強度未満である場合には、リレー５は誤動作せず、従ってリレー５の接点６、７の両端間の抵抗は一定値、例えばオープン状態を保っている。しかし、所定の強度以上の外部磁気がある場合には、リレー５は誤動作し、その接点６、７は共に反転し、例えばオープン状態からクローズ状態に変化する。このとき、制御部２は接点７の状態が反転したことを認識することになるが、この場合には、接点７の状態の反転はカードの操作が行われたことに基づくものではないので、外部磁気による誤動作であると判断してリレー８の状態を反転させる。即ち、上述した通り、カード操作が行われた場合には制御部２は上記所定の信号を出力し、それに応じてリレー５の接点６、７の状態は共に反転するのであるが、外部磁気による誤動作時には、制御部２は当該所定の信号を出力していないにも拘わらず接点７の状態が反転したことを検知するので、外部磁気による誤動作であると判断するのである。これによって、接点９の両端間の抵抗は、例えばオープン状態からクローズ状態になる。
【００１８】
そしてこのとき、コントローラはリレー５の接点６の両端間の抵抗が反転したことを検知するのであるが、リレー８の接点９の両端間の抵抗値の変化をも検知するので、この場合にはコントローラは操作装置で誤動作が生じたと判断して、警戒状態から解除状態へ、あるいは解除状態から警戒状態へ警備の状態が正規に切り換えられたとは判断しない。例えば、警戒状態が設定されている場合において、外部磁気によってリレー５が誤動作した場合には、コントローラはリレー５の接点６の状態の反転が誤動作によるものと認識し、解除状態が設定されたとは判断せず、警戒状態を保持するのである。つまり、リレー８はリレー５が誤動作した場合の異常信号を出力するものとして設けられているのである。
【００１９】
ここで、リレー８としては外部磁気に影響を受けない半導体リレーを用いるのが望ましいものであるが、電磁式リレーを用いることができることも当然である。ただし、電磁式リレーを用いる場合には、リレー８はリレー５から離れた位置に配置し、外部磁気からリレー５と同程度の影響を受けないようにする必要がある。なお、リレー５として半導体リレーを用いれば外部磁気による影響を受けないので望ましいのではないかという議論が生じるが、操作装置等の警備装置においては通常の信号の出力、例えば上述したような警戒状態から解除状態への切り換えの信号、あるいは解除状態から警戒状態への切り換えの信号の出力のために半導体リレーを用いることは通常は行われていない。これは警備装置の通常の信号の出力のためには、半導体リレーでは実現できない仕様が要求される場合があるからである。
【００２０】
具体的には次のようである。警備装置には、電源供給が切断された場合にもその状態を保つことが要求される。例えば、操作装置において警戒状態が設定されている場合に電源供給が切断されたとき、状態が反転して解除状態になってしまうのでは容易に侵入を許すことになってしまう。従って、警戒状態にある場合に電源供給が切断された場合にも、操作装置からの出力は警戒状態を示すものでなければならないのである。このような要求に対して、電磁式リレーには電源供給が切断された後にもその状態を保持するラッチングリレーと称されるタイプのものがあり、警備装置の通常の信号の出力のためにこのような電磁式リレーを用いれば前記の要求に応えることができる。これに対して、半導体リレーは電源供給が切断された場合には、接点の両端間の抵抗はオープンまたはクローズの何れか一方の状態に固定されてしまうので、電源供給が切断された場合にも、切断直前の警備状態を継続的に保持して出力することはできない。このような事情によって、警備装置においては、異常出力ではない通常の信号の出力のためには電磁式のリレーが用いられているのであり、上述した実施形態においてもそのようになされているのである。
【００２１】
以上、本発明の一実施形態について説明したが、本発明は上記実施形態に限定されるものではなく種々の変形が可能である。例えば、上記実施形態では本発明を操作装置に適用した場合について説明したが、本発明は操作装置に限らず、リレー出力を行う警備装置に一般的に適用できるものである。また、リレー５は磁気シールドが施されていてもよいことは当然である。
【図面の簡単な説明】
【図１】  本発明を操作装置に適用した場合の一実施形態を示す図である。
【図２】  従来の操作装置の構成例を示す図である。
【符号の説明】
１…カード読取部、２…制御部、３…リレー、４…接点、５…２接点型電磁式リレー、６、７…接点、８…リレー、９…接点。
【図１】
0003880021.tif 000002
【図２】
0003880021.tif 000003